(57)【要約】【課題】将来的な再利用を可能とするように該廃棄物から漏出する放射性物質の量を管理することができる放射性廃棄物貯蔵施設、廃棄物ユニット又は廃棄物体を有する構造物及び放射性廃棄物貯蔵方法を提供する。【解決手段】放射性廃棄物貯蔵施設は、廃棄物Ｚが貯蔵される貯蔵容器２０と、貯蔵容器２０内に貯蔵された廃棄物Ｚにおける放射性物質の濃度を測定する第一測定装置と、貯蔵容器２０から漏出した放射性物質の濃度を放射性廃棄物貯蔵施設において測定する第二測定装置４０とを備え、第二測定装置４０は、貯蔵容器２０の外面を形成する壁部２２Ａと廃棄物Ｚとの間に設けられた排水層２２Ｃと、排水層２２Ｃと連通されるとともに貯蔵容器２０の外方に向かって開口する排水口２２Ｄとを備えることを特徴とする。【選択図】図３
2014109547.tif 000002
【特許請求の範囲】
【請求項１】
放射性物質を含む廃棄物を保管する放射性廃棄物貯蔵施設であって、
該廃棄物が貯蔵される貯蔵容器と、
該貯蔵容器内に貯蔵された前記廃棄物における前記放射性物質の濃度を測定する第一測定装置と、
前記貯蔵容器から漏出した前記放射性物質の濃度を該放射性廃棄物貯蔵施設において測定する第二測定装置とを備え、
該第二測定装置は、
前記貯蔵容器の外面を形成する壁部と前記廃棄物との間に設けられた排水層と、
前記排水層と連通されるとともに該貯蔵容器の外方に向かって開口する排水口とを備えることを特徴とする放射性廃棄物貯蔵施設。
【請求項２】
請求項１に記載の放射性廃棄物貯蔵施設において、
前記廃棄物は、セメント及び水と混合されて固化されていることを特徴とする放射性廃棄物貯蔵施設。
【請求項３】
請求項１または請求項２に記載の前記貯蔵容器と、該貯蔵容器に貯蔵され前記放射性物質の濃度が閾値以下とされた前記廃棄物とを有する廃棄物ユニットを、構造体として利用したことを特徴とする構造物。
【請求項４】
請求項１または請求項２に記載の前記貯蔵容器と、該貯蔵容器に貯蔵された前記放射性物質を含む前記廃棄物とを有する廃棄物体を、構造体として利用した構造物であって、
前記構造物は、前記貯蔵容器から漏出した前記放射性物質の濃度を該構造物において測定する第三測定装置を備え、
該第三測定装置は、
前記貯蔵容器の外面を形成する壁部と前記廃棄物との間に設けられた排水層と、
前記排水層から該貯蔵容器の外方に向かって連通する排水口とを有することを特徴とする構造物。
【請求項５】
放射性物質を含む廃棄物を保管する放射性廃棄物貯蔵方法であって、
該廃棄物を貯蔵容器に貯蔵する貯蔵工程と、
該貯蔵容器内に貯蔵する際の前記廃棄物における前記放射性物質の濃度を測定する第一測定工程と、
該貯蔵容器内に貯蔵された前記廃棄物における前記放射性物質の濃度を定期的に測定する定期測定工程と、
該定期測定工程における前記放射性物質の濃度が閾値以下であるか否かを判定する判定工程と、
前記貯蔵容器から漏出した前記放射性物質の濃度を放射性廃棄物貯蔵施設において測定する第二測定工程とを備え、
該第二測定工程は、
前記貯蔵容器の外面を形成する壁部と前記廃棄物との間に設けられた排水層から、排水口を通って該貯蔵容器の外方に向かって漏出した前記放射性物質の濃度を測定することを特徴とする放射性廃棄物貯蔵方法。
【請求項６】
放射性物質を含む廃棄物を保管する放射性廃棄物貯蔵方法であって、
該廃棄物を貯蔵容器に貯蔵する貯蔵工程と、
該貯蔵容器内に貯蔵する際の前記廃棄物における前記放射性物質の濃度を測定する第一測定工程と、
前記廃棄物が貯蔵された貯蔵容器を利用して構造物を建築する建築工程と、
前記構造物を構成する貯蔵容器から漏出した前記放射性物質の濃度を該構造物において測定する第三測定工程とを備え、
該第三測定工程は、
前記貯蔵容器の外面を形成する壁部と前記廃棄物との間に設けられた排水層から、排水口を通って該貯蔵容器の外方に向かって漏出した前記放射性物質の濃度を測定することを特徴とする放射性廃棄物貯蔵方法。
【請求項７】
請求項５又は請求項６に記載の放射性廃棄物貯蔵方法において、
前記廃棄物を粉砕し、混合して加工廃棄物を生成する加工工程を備え、
前記貯蔵工程は、前記廃棄物として前記加工廃棄物を貯蔵し、
前記第一測定工程及び前記定期測定工程は、前記廃棄物として前記加工廃棄物の濃度を測定することを特徴とする放射性廃棄物貯蔵方法。
【請求項８】
請求項５から請求項７のいずれか一項に記載の放射性廃棄物貯蔵方法において、
前記廃棄物をセメント及び水と混合して固化させて混合物を生成する混合工程を備え、
前記貯蔵工程は、前記廃棄物として前記混合物を貯蔵し、
前記第一測定工程及び前記定期測定工程は、前記廃棄物として前記混合物の濃度を測定することを特徴とする放射性廃棄物貯蔵方法。
【発明の詳細な説明】
【技術分野】
【０００１】
本発明は、放射性廃棄物貯蔵施設、廃棄物ユニット又は廃棄物体を有する構造物及び放射性廃棄物貯蔵方法に関するものである。
【背景技術】
【０００２】
一般に、有害物質であるセシウム等の放射性物質を含む土壌又は建築物においては、当該土壌又は建築物から放射性物質を取り除いて、該土壌又は建築物を健全な状態として使用することが進められている。
【０００３】
ここで、除去された放射性物質を含む廃棄物は、仮置き場所に一時的に仮置きされた後、貯蔵施設において該放射性物質の濃度が低減されるまで保管管理される。そして、将来的には、原子力施設等から排出される放射性廃棄物と同様に処分容器に格納されて、地中に設けられた処分施設に長期間にわたって収容される予定である（下記特許文献１参照）。
【先行技術文献】
【特許文献】
【０００４】
【特許文献１】特開２００７−２９８３１９号公報
【発明の概要】
【発明が解決しようとする課題】
【０００５】
ここで、非常に大量の廃棄物が排出された場合には、該廃棄物を格納する処分容器が多数必要であるとともに、これら多数の処分容器を埋設するために大規模な処分施設を建設しななければならない。よって、大規模な処分施設の建築場所を確保することが困難であるばかりか、コストが嵩むという問題点がある。
【０００６】
そこで、本発明は、上記事情に鑑みてなされたものであり、将来的な再利用を可能とするように廃棄物を安全に管理することができる放射性廃棄物貯蔵施設、廃棄物ユニットを有する構造物及び放射性廃棄物貯蔵方法を提供する。
【課題を解決するための手段】
【０００７】
上記目的を達成するために、本発明は以下の手段を採用している。
すなわち、本発明に係る放射性廃棄物貯蔵施設は、放射性物質を含む廃棄物を保管する放射性廃棄物貯蔵施設であって、該廃棄物が貯蔵される貯蔵容器と、該貯蔵容器内に貯蔵された前記廃棄物における前記放射性物質の濃度を測定する第一測定装置と、前記貯蔵容器から漏出した前記放射性物質の濃度を該放射性廃棄物貯蔵施設において測定する第二測定装置とを備え、該第二測定装置は、前記貯蔵容器の外面を形成する壁部と前記廃棄物との間に設けられた排水層と、前記排水層と連通されるとともに該貯蔵容器の外方に向かって開口する排水口とを備えることを特徴とする。
また、本発明に係る放射性廃棄物貯蔵方法は、放射性物質を含む廃棄物を保管する放射性廃棄物貯蔵方法であって、該廃棄物を貯蔵容器に貯蔵する貯蔵工程と、該貯蔵容器内に貯蔵する際の前記廃棄物における前記放射性物質の濃度を測定する第一測定工程と、該貯蔵容器内に貯蔵された前記廃棄物における前記放射性物質の濃度を定期的に測定する定期測定工程と、該定期測定工程における前記放射性物質の濃度が閾値以下であるか否かを判定する判定工程と、前記貯蔵容器から漏出した前記放射性物質の濃度を放射性廃棄物貯蔵施設において測定する第二測定工程とを備え、該第二測定工程は、前記貯蔵容器の外面を形成する壁部と前記廃棄物との間に設けられた排水層から、排水口を通って該貯蔵容器の外方に向かって漏出した前記放射性物質の濃度を測定することを特徴とする。
【０００８】
このような放射性廃棄物貯蔵施設及び放射性廃棄物貯蔵方法では、貯蔵容器により放射性物質を含む廃棄物を貯蔵できるとともに、第一測定装置（第一測定工程、定期測定工程）により該廃棄物の放射性物質の濃度を把握することができる。よって、貯蔵期間中における廃棄物の放射性物質の濃度を把握できるため、廃棄物を安全に保管することができる。
さらに、判定工程により放射性物質の濃度が閾値以下となった廃棄物については、再利用することが可能となる。
また、放射性物質が貯蔵容器から漏出した場合には、第二測定装置（第二測定工程）で測定した結果を第一測定装置（第一測定工程）で測定した結果を比較することで、漏出した放射性物質の濃度を把握し、漏出量を管理することができる。
また、貯蔵容器と廃棄物との間に排水層が形成され、該排水層は排水口を介して貯蔵容器の外方に連通されているため、放射性物質が貯蔵容器から漏出する際には、排水口を通って漏出することとなる。よって、排水口から排水された放射性物質の濃度を測定すれば、貯蔵容器から放射性物質が漏出しているか否か分かるとともに、漏出している貯蔵容器を特定することができるため、放射性物質の漏出の管理を容易に行うことができる。
【０００９】
また、本発明に係る放射性廃棄物貯蔵施設は、前記廃棄物は、セメント及び水と混合されて固化されていることが好ましい。
【００１０】
このような放射性廃棄物貯蔵施設では、廃棄物がセメント及び水と混合されて固化され剛性が大きくなるため、外力等の影響を受けた場合でも破損する虞がなく安定的に貯蔵することができる。
【００１１】
また、本発明に係る構造物は、上記に記載の前記貯蔵容器と、該貯蔵容器に貯蔵され前記放射性物質の濃度が閾値以下とされた前記廃棄物とを有する廃棄物ユニットを、構造体
として利用したことを特徴とする。
【００１２】
このような構造物では、廃棄物ユニットは内部に廃棄物を貯蔵して強固とされるため、該廃棄物の放射性物質の濃度が保管により低減して閾値以下となった後には、躯体、土台又は基礎等の構造体として活用することができる。
【００１３】
また、本発明に係る放射性廃棄物貯蔵方法は、放射性物質を含む廃棄物を保管する放射性廃棄物貯蔵方法であって、該廃棄物を貯蔵容器に貯蔵する貯蔵工程と、該貯蔵容器内に貯蔵する際の前記廃棄物における前記放射性物質の濃度を測定する第一測定工程と、前記廃棄物が貯蔵された貯蔵容器を利用して構造物を建築する建築工程と、前記構造物を構成する貯蔵容器から漏出した前記放射性物質の濃度を該構造物において測定する第三測定工程とを備え、該第三測定工程は、前記貯蔵容器の外面を形成する壁部と前記廃棄物との間に設けられた排水層から、排水口を通って該貯蔵容器の外方に向かって漏出した前記放射性物質の濃度を測定することを特徴とする。
【００１４】
このような放射性廃棄物貯蔵方法では、貯蔵容器に貯蔵された廃棄物を構造物として利用する場合であっても、第三測定工程により貯蔵容器から漏出した放射性物質の濃度を測定することにより、漏出量を管理することができるため、安全性を確保することができる。
【００１５】
また、本発明に係る構造物は、上記に記載の前記貯蔵容器と、該貯蔵容器に貯蔵された前記放射性物質を含む前記廃棄物とを有する廃棄物体を、構造物の一部として利用した構造物であって、前記構造物は、前記貯蔵容器から漏出した前記放射性物質の濃度を該構造物において測定する第三測定装置を備え、該第三測定装置は、前記貯蔵容器の外面を形成する壁部と前記廃棄物との間に設けられた排水層と、前記排水層から該貯蔵容器の外方に向かって連通する排水口とを有することを特徴とする。
【００１６】
このような構造物では、貯蔵容器に貯蔵された廃棄物を構造物として利用する場合に、放射性物質が貯蔵容器から漏出する際には、貯蔵容器と廃棄物との間に排水層が形成され、該排水層は排水口を介して貯蔵容器の外方に連通されているため、排水口を通って漏出することとなる。よって、排水口から排水された放射性物質の濃度を測定すれば、貯蔵容器から放射性物質が漏出しているか否か分かるとともに、漏出している貯蔵容器を特定することができるため、放射性物質の漏出の管理を容易に行うことができる。
【００１７】
また、本発明に係る放射性廃棄物貯蔵方法は、前記廃棄物を粉砕し、混合して加工廃棄物を生成する加工工程を備え、前記貯蔵工程は、前記廃棄物として前記加工廃棄物を貯蔵し、前記第一測定工程及び前記定期測定工程は、前記廃棄物として前記加工廃棄物の濃度を測定することが好ましい。
【００１８】
このような放射性廃棄物貯蔵方法では、加工工程により廃棄物を均質化して、所定の濃度以下となるように調整することができるため、貯蔵容器内の加工廃棄物の放射性物質の濃度を均一に保つことができる。
【００１９】
また、本発明に係る放射性廃棄物貯蔵方法は、前記廃棄物又は前記加工廃棄物をセメント及び水と混合して固化させて混合物を生成する混合工程を備え、前記貯蔵工程は、前記廃棄物として前記混合物を貯蔵し、前記第一測定工程及び前記定期測定工程は、前記廃棄物として前記混合物の濃度を測定してもよい。
【００２０】
このような放射性廃棄物貯蔵方法では、廃棄物又は加工廃棄物はセメント及び水によりセメント固化した混合物とされるため、該混合物が貯蔵容器から漏出する虞がない。
【発明の効果】
【００２１】
本発明に係る放射性廃棄物貯蔵施設、廃棄物ユニットを有する構造物及び放射性廃棄物貯蔵方法によれば、貯蔵期間中における廃棄物の放射性物質の濃度を把握できるため、廃棄物を安全に保管することができ、判定工程により放射性物質の濃度が閾値以下となった廃棄物については、再利用することが可能となる。よって、将来的な再利用を可能とするように廃棄物を安全に管理することができる。
【図面の簡単な説明】
【００２２】
【図１】本発明の第一実施形態に係る（ａ）放射性廃棄物貯蔵施設の概略斜視図、（ｂ）放射性廃棄物貯蔵施設の内部を示す分解概略斜視図である。
【図２】本発明の第一実施形態に係る放射性廃棄物貯蔵施設を構成する（ａ）貯蔵容器の上部が開放された斜視図、（ｂ）貯蔵容器に廃棄物を貯蔵した状態の斜視図、（ｃ）貯蔵容器の斜視図である。
【図３】本発明の第一実施形態に係る放射性廃棄物貯蔵施設を構成する（ａ）貯蔵容器の上部が開放された断面図、（ｂ）貯蔵容器に廃棄物を貯蔵して上部が閉塞された断面図である。
【図４】本発明の第一実施形態に係る放射性廃棄物貯蔵施設を構成する第一測定装置の構成を示す概略斜視図である。
【図５】本発明の第一実施形態に係る第一測定装置により廃棄物中の放射性物質の能動（放射能濃度）を測定した結果を表すグラフである。
【図６】本発明の第一実施形態に係る第一測定装置により廃棄物中の放射能濃度を測定した結果の年月による変化を表すグラフである。
【図７】本発明の第一実施形態に係る廃棄物ユニットを用いた構造物を示す概略斜視図である。
【図８】本発明の第二実施形態に係る廃棄物体を用いた構造物において、第三測定装置により放射性物質の濃度を測定する概略斜視図である。
【図９】本発明の第二実施形態の変形例に係る廃棄物体を用いた構造物において、第三測定装置により放射性物質の濃度を測定する概略斜視図である。
【図１０】本発明の第三実施形態に係る加工工程を示す模式図である。
【図１１】本発明の第三実施形態に係る第一測定装置により廃棄物中の放射能濃度を測定した結果を表すグラフである。
【図１２】本発明の第三実施形態に係る第一測定装置により廃棄物中の放射能濃度を測定した結果の年月による変化を表すグラフである。
【発明を実施するための形態】
【００２３】
（第一実施形態）
本発明の第一実施形態である放射性廃棄物貯蔵施設について、図１〜図７を用いて説明する。
【００２４】
図１に示すように、放射性廃棄物貯蔵施設１は、放射性物質を含む廃棄物Ｚを保管するものである。
ここで、放射性物質としては、例えばセシウム−１３４やセシウム−１３７等が挙げられる。廃棄物Ｚとしては、これら放射性物質を含む土壌、建築物又は植物等が挙げられる。
【００２５】
この放射性廃棄物貯蔵施設１は、地上に設けられており、躯体をなす構造部１０と、該構造部１０の内部に配設され廃棄物Ｚが貯蔵された複数の貯蔵容器２０と、廃棄物Ｚ中の放射性物質の濃度を測定する第一測定装置３０及び第二測定装置４０とを備えている。
【００２６】
構造部１０は、床部１１と、該床部１１から立設された複数の外壁部１２と、該複数の外壁部１２で形成された空間の上部を覆う屋根部１３とを備えている。
この床部１１には、外壁部１２の長手方向に沿って延在し下方に向かって凹む溝１４が形成されており、該溝１４は雨水が構造部１０内に浸水した場合に該雨水を集約して外部に導くことが可能とされている。
【００２７】
図２に示すように、貯蔵容器２０は、底部２１と、該底部２１から立設された複数の側壁部２２と、該複数の側壁部２２で形成された空間を覆う蓋部２３とを有しており、本実施形態ではこれら底部２１、複数の側壁部２２及び蓋部２３により略直方体状に形成されている。
【００２８】
図３に示すように、底部２１は、外底２１Ａと、該外底２１Ａの内側に配された内底２１Ｂとを有している。側壁部２２は、外壁２２Ａと、該外側の内側に配された内壁２２Ｂとを有している。蓋部２３は、外蓋２３Ａと、該外蓋２３Ａの内側に配された内蓋２３Ｂとを有している。
【００２９】
これら底部２１、側壁部２２及び蓋部２３は、鉄筋コンクリート、鋼材、コンクリートやセラミック等の剛性の高い材料で構成されている。
【００３０】
また、貯蔵容器２０の外面を形成する外底２１Ａ、外壁２２Ａ及び外蓋２３Ａ（壁部）
と廃棄物Ｚとの間には、通水性を有する排水層２１Ｃ，２２Ｃ，２３Ｃが設けられている。本実施形態では、外底２１Ａと内底２１Ｂとの間には排水層２１Ｃが設けられ、外壁２２Ａと内壁２２Ｂとの間には排水層２２Ｃが設けられ、外蓋２３Ａと内蓋２３Ｂとの間には排水層２３Ｃが設けられている。
【００３１】
これら排水層２１Ｃ，２２Ｃ，２３Ｃは、通水性を有する材料、例えば不織布、金属粉、樹脂粒子等を焼結又は溶着した多孔性材料で形成されている。また、排水層２１Ｃの端部は排水層２２Ｃの下端と連結され、排水層２２Ｃの上端は排水層２３Ｃの端部と当接されている。
【００３２】
このような排水層２１Ｃ，２２Ｃ，２３Ｃでは、例えば、内底２１Ｂ、内壁２２Ｂ又は内蓋２３Ｂから放射性物質が漏出水Ｒとして漏出する際には、排水層２１Ｃ，２２Ｃ又は２３Ｃに導かれる構成とされている。
【００３３】
また、貯蔵容器２０の側壁部２２には、排水層２２Ｃに導かれた漏出水Ｒを、該貯蔵容器２０の外方に向かって排水する排水口２２Ｄが形成されている。排水口２２Ｄは、管状部材であって、一端が排水層２２Ｃに連通されるとともに、外壁２２Ａを貫通して、他端が貯蔵容器２０の外方に向かって開口するように設けられている。
【００３４】
図１に示すように、上記のように構成された貯蔵容器２０は、外壁部１２の長手方向及び短手方向に向かってそれぞれ複数配設されるとともに、上下方向に向かって複数配設されている。
【００３５】
また、貯蔵容器２０は、例えば略直方体状に輸送用コンテナサイズに形成され、剛性の高い材料で構成されているため、放射性廃棄物貯蔵施設１から搬出可能とされている。
なお、貯蔵容器２０の形状としては、直方体状に限られず円柱状であってもよい。
【００３６】
図４に示すように、第一測定装置３０は、貯蔵容器２０の蓋部２３（図２（ｃ）参照）が取り外された密閉前の状態で、該貯蔵容器２０に貯蔵された廃棄物Ｚの上面の放射性物質の濃度を測定するものである。
【００３７】
この第一測定装置３０は、本実施形態では貯蔵容器２０の外壁部１２の長手方向に向かって設けられたレール部３１と、該レール部３１に沿って移動可能とされた支持部３２と、該支持部３２により支持されるとともに放射性物質の濃度を測定可能な測定部３３と、支持部３２及び測定部３３と一体とされたレール部３１を外壁部１２の短手方向に向かって移動させる移動部（不図示）とを有している。
測定部３３としては、例えばガイガーミュラー計数管等が挙げられる。
【００３８】
ここで、移動部により外壁部１２の短手方向に移動されるラインを順に、第一ラインＬ１、第二ラインＬ２及び第三ラインＬ３とする。
【００３９】
貯蔵容器２０に廃棄物Ｚを貯蔵した直後に、測定部３３により測定された結果の一例を図５のグラフに示す。当該グラフの横軸は長手方向の端部Ｐ（図３参照）からの距離を表し、縦軸は該距離に応じた箇所の放射性物質中の濃度（放射能濃度）を表している。そして、第一ラインＬ１、第二ラインＬ２、第三ラインＬ３毎の距離に応じた放射能濃度を折れ線グラフとして表記している。
【００４０】
ここで、第一測定装置３０により放射性物質の濃度を測定した後に、貯蔵容器２０の蓋部２３を閉じて、図示しない溶接機により該貯蔵容器２０を密閉状態とする。そして、この状態で、廃棄物Ｚが貯蔵された貯蔵容器２０は放射性廃棄物貯蔵施設１内に保管される。
【００４１】
そして、保管中に随時、貯蔵容器２０の蓋部２３を開いて、第一測定装置３０により上記と同様にして放射性物質の濃度を測定することができる。なお、貯蔵容器２０を放射性廃棄物貯蔵施設１内の別の場所や、該放射性廃棄物貯蔵施設１から搬出して測定することとしてもよい。
【００４２】
図１に示すように、第二測定装置４０は、例外的に貯蔵容器２０から漏出した廃棄物Ｚにおける放射性物質の濃度を測定するものである。この第二測定装置４０は、例えばゲルマニウム半導体検出器又はシンチレーション検出器等で構成された測定部４１と、貯蔵容器２０に設けられた排水層２１Ｃ，２２Ｃ，２３Ｃ（図３参照）と、貯蔵容器２０に設けられた排水口２２Ｄとで構成されている。
【００４３】
例えば、屋根部１３から漏水した雨水が貯蔵容器２０に滴下して、該貯蔵容器２０内に浸入した雨水が廃棄物Ｚと接触する。そして、当該雨水が放射性物質を含んだ漏出水Ｒは、内壁２２Ｂを貫通した場合には、排水層２２Ｃに浸水し排水口２２Ｄから貯蔵容器２０の外方に向かって排水され、床部１１に形成された溝１４に排水される。第二測定装置４０の測定部４１で漏出水Ｒを測定することにより、放射性物質の濃度を測定できるように構成されている。
【００４４】
次に、上記の放射性廃棄物貯蔵施設１における放射性廃棄物貯蔵方法について説明する。
放射性廃棄物貯蔵方法は、貯蔵工程と、第一測定工程と、定期測定工程と、貯蔵容器２０から放射性物質が例外的に漏出した場合に実行する第二測定工程と、判定工程とを備えている。
【００４５】
まず、貯蔵工程を実行して、廃棄物Ｚを貯蔵容器２０に貯蔵する。
すなわち、図２（ａ）に示すように貯蔵容器２０の蓋部２３を開いて、図２（ｂ）に示すように該貯蔵容器２０の内部に廃棄物Ｚを貯蔵する。
【００４６】
次に、第一測定工程を実行して、貯蔵容器２０内に貯蔵する際の廃棄物Ｚにおける放射性物質の濃度を測定する。
【００４７】
すなわち、図４に示すように、測定部３３を支持する支持部３２をレール部３１に沿って外壁部１２の長手方向に移動させる。また、移動部によりレール部３１を外壁部１２の短手方向に移動させる。これにより、廃棄物Ｚの表面の所望の位置における放射性物質の濃度を測定する。ここで、廃棄物Ｚ中の放射性物質の濃度の一例を図５のグラフに示す。
【００４８】
その後、図２（ｃ）に示すように貯蔵容器２０の蓋部２３を閉じ、廃棄物Ｚが貯蔵された貯蔵容器２０を放射性廃棄物貯蔵施設１内に保管する。
【００４９】
次に、定期測定工程を実行して、貯蔵容器２０内に貯蔵された廃棄物Ｚにおける放射性物質の濃度を測定する。この定期測定工程は、例えば、１年ごと、１０年ごと等定期点検ごとに実行する。
【００５０】
すなわち、貯蔵容器２０の蓋部２３を開いて、第一測定装置３０により上記と同様にして放射性物質の濃度を測定する。
【００５１】
ここで、例外的に貯蔵容器２０から放射性物質が漏出した場合には、第二測定工程を実行する。
例えば、屋根部１３から漏水した雨水が貯蔵容器２０に滴下して、該貯蔵容器２０内に浸入した雨水が廃棄物Ｚと接触する。そして、当該雨水が放射性物質を含んだ漏出水Ｒは、内壁２２Ｂを貫通して排水層２２Ｃに浸水し、排水口２２Ｄから排水される。
第二測定工程では、排水口２２Ｄから排水された漏出水Ｒの放射性物質の濃度を、測定部４１で測定する。これにより、漏出した放射性物質の濃度を把握することができる。
【００５２】
次に、判定工程を実行して、上記の定期的に実行した定期測定工程における廃棄物Ｚの放射性物質の濃度が閾値以下であるか否かを判定する。
【００５３】
放射性物質を含む廃棄物Ｚは、放射性崩壊して年月の経過とともに半減期を迎えて該放射性物質の濃度が低下する。例えば、セシウム−１３４は２．０６５年後に、セシウム−１３７は３０．０４年後に、それぞれ半減期を迎え、１２０年後にはセシウム−１３７の濃度が１／１６以下に減少する。
【００５４】
ここで、廃棄物Ｚ中の放射性物質の濃度の一例として、図４に示した第一ラインＬ１の濃度変化を図６のグラフに示す。当該グラフの横軸は長手方向の端部からの距離を表し、縦軸は該距離に応じた箇所の放射性物質の濃度（放射能濃度）を表している。貯蔵容器２０に貯蔵後、０年、３０年、６０年、９０年と順次放射能濃度が減少しているのが分かる。
【００５５】
このように構成された放射性廃棄物貯蔵施設１及び放射性廃棄物貯蔵方法によれば、貯蔵容器２０により放射性物質を含む廃棄物Ｚを貯蔵することができるとともに、第一測定装置３０を用いた第一測定工程、定期測定工程により該廃棄物Ｚの放射性物質の濃度を把握することができる。よって、貯蔵期間中における廃棄物Ｚの放射性物質の濃度を把握できるため、廃棄物を安全に保管することができる。
【００５６】
また、例外的に放射性物質が貯蔵容器２０から漏出する場合であっても、漏出水Ｒは内壁２２Ｂを貫通して排水層２２Ｃに浸水し、排水口２２Ｄから排水される。また、漏出水Ｒが、内底２１Ｂを貫通した場合には、排水層２１Ｃに浸水するとともに、該排水層２１Ｃと連通された排水層２２Ｃにも導かれる。そして、この漏出水Ｒは、排水口２２Ｄから貯蔵容器２０の外方に向かって、床部１１に形成された溝１４に排水される。さらに、漏出水Ｒが、内蓋２３Ｂを貫通した場合には、排水層２３Ｃに浸水するとともに、該排水層２３Ｃと当接された排水層２２Ｃにも導かれる。そして、この漏出水Ｒは、排水口２２Ｄから貯蔵容器２０の外方に向かって、床部１１に形成された溝１４に排水さる。
よって、排水口２２Ｄから排水された漏出水Ｒの放射性物質の濃度を測定すれば、貯蔵容器２０から放射性物質が漏出しているか否かが分かる。さらに、所定の値よりも高い放射性物質の濃度の排水口２２Ｄを特定することで、放射性物質が漏出している貯蔵容器２０を特定することができる。したがって、放射性物質の漏出の管理を容易に行うことができる。
【００５７】
また、上記のように放射性物質貯蔵容器２０から漏出する場合には、第二測定装置４０を用いた第二測定工程で測定した結果を第一測定工程で測定した結果と比較することで、漏出した放射性物質の濃度を把握して、漏出量を把握することができる。
【００５８】
さらに、判定工程により放射性物質の濃度が閾値以下となった廃棄物Ｚについては、再利用することが可能となる。
【００５９】
その具体例として、廃棄物Ｚが貯蔵された貯蔵容器２０を用いた構造物Ａについて説明する。
図７に示すように、例えば、構造物Ａは河川沿いに設けられた堤防であって、該構造物Ａの内部には廃棄物ユニットＶが河川の延在方向に向かって複数設けられ、複数の該廃棄物ユニットＶの外側には外装部Ｂが設けられている。廃棄物ユニットＶは、構造物Ａにおいて荷重等を負担する構造体の一部として利用され、外装部Ｂは、コンクリート等で形成されている。
【００６０】
この廃棄物ユニットＶは、貯蔵容器２０に放射性物質の濃度が低下した廃棄物Ｚが貯蔵されたものを言う。
【００６１】
このような構造物Ａでは、廃棄物ユニットＶは内部に廃棄物Ｚを貯蔵して強固とされるため、該廃棄物Ｚにおける放射性物質の濃度が低減した後には、構造物Ａの内部の躯体、土台又は基礎等として活用することができる。
【００６２】
つまり、構造物Ａを建設するコンクリート等の材料を低減することができるとともに、該廃棄物Ｚの最終的な処理費用を削減することができ、コスト面においても有益である。
【００６３】
また、貯蔵容器２０は、例えば輸送用のコンテナと同等の大きさで構成されているため、図１（ｂ）に示すように放射性廃棄物貯蔵施設１内に整頓して多数配設することが可能であるとともに、該放射性廃棄物貯蔵施設１内から搬出することが容易である。
【００６４】
また、放射性廃棄物貯蔵施設１は地上に設けられているため、検査等のために該放射性廃棄物貯蔵施設１から貯蔵容器２０を搬出することが容易である。さらに、地中に放射性廃棄物貯蔵施設１を設ける場合と比較して、地下水が浸入する虞がないとともに、雨水等が浸入した際には、該貯蔵容器２０に接触した雨水等を集約して管理しやすいというメリットがある。
【００６５】
（第二実施形態）
以下、本発明の第二実施形態に係る構造物２Ａについて説明する。
この実施形態において、前述した実施形態で用いた部材と同一の部材には同一の符号を付して、その説明を省略する。
【００６６】
図８に示すように、例えば構造物２Ａは、高潮や津波を防ぐために設けられた防潮堤であって、防潮堤２Ａは、土台２Ｄと、該土台２Ｄから立設された壁部２Ｃと、該壁部２Ｃを支持するとともに海岸の延在方向（水平方向）及び鉛直方向に向かって複数設けられた廃棄物体２Ｖとを有している。
この土台２Ｄには、下方に向かって凹むとともに、海岸の延在方向（水平方向）に向かって延びる溝２０１が形成されている。
【００６７】
廃棄物体２Ｖは、貯蔵容器２０と、該貯蔵容器２０の内部に貯蔵された放射性物質を含む廃棄物Ｚとを有している。
また、構造物２Ａは、貯蔵容器２０から漏出した放射性物質の濃度を構造物２Ａにおいて測定する第三測定装置２５０を有している。
【００６８】
第三測定装置２５０は、例外的に貯蔵容器２０から漏出した廃棄物Ｚにおける放射性物質の濃度を測定するものである。この第三測定装置２５０は、例えばゲルマニウム半導体検出器又はシンチレーション検出器等で構成された測定部２４１と、貯蔵容器２０に設けられた排水層２１Ｃ，２２Ｃ，２３Ｃ（図３参照）と、貯蔵容器２０に設けられた排水口２２Ｄとで構成されている。
【００６９】
例えば、例外的に貯蔵容器２０内に浸入した雨水が廃棄物Ｚと接触して、放射性物質を含んだ漏出水Ｒとして土台２Ｄに形成された溝２０１に排水された場合において、第三測定装置２５０は当該放射性物質の濃度を測定できるように構成されている。
【００７０】
次に、上記のように構成された放射性物質を含む廃棄物Ｚの放射性廃棄物貯蔵方法について説明する。
放射性廃棄物貯蔵方法は、貯蔵工程と、第一測定工程と、建築工程と、貯蔵容器２０から放射性物質が例外的に漏出した場合に実行する第三測定工程とを備えている。
【００７１】
第一実施形態と同様に貯蔵工程、第一測定工程を実行する。
その後、廃棄物Ｚが貯蔵された貯蔵容器２０（廃棄物体２Ｖ）を構造体の一部に利用し、構造物２Ａを建築する建築工程を実行する。
【００７２】
ここで、例外的に貯蔵容器２０から放射性物質が漏出した場合には、第三測定工程を実行する。
例えば、雨水が貯蔵容器２０に滴下して、該貯蔵容器２０内に浸入した雨水が廃棄物Ｚと接触する。そして、当該雨水が放射性物質を含んだ漏出水Ｒは、内壁２２Ｂを貫通して排水層２２Ｃに浸水し、排水口２２Ｄを経由して土台２Ｄに形成された溝２０１に排水される。
【００７３】
第三測定工程では、溝２０１に排水された漏出水Ｒの放射性物質の濃度を、構造物２Ａにおいて測定部２４１で測定する。これにより、構造物２Ａにおいて漏出した放射性物質の濃度を把握することができる。
あるいは、放射性物質の漏出をより早く検知するために、各々の排水口２２Ｄにて個別に漏出水Ｒを採取して測定部２４１で測定することで、放射性物質の濃度を把握しても良い。
【００７４】
このような構造物２Ａでは、廃棄物体２Ｖは内部に廃棄物Ｚを貯蔵して強固とされるため、構造物２Ａの構造体を構成する躯体、土台又は基礎等として利用しながら、放射性物質が漏出した場合には漏出した放射性物質の濃度を把握することができる。よって、例えば放射性物質の濃度が所定の閾値以下に低減されていない場合でも、廃棄物体２Ｖから漏出する放射性物質を管理しながら、該廃棄物体２Ｖを構造体の一部として利用することができるため、利用価値を高めることができる。
【００７５】
（第二実施形態の変形例）
図９は、第二実施形態の変形例である。具体的には、廃棄物体２Ｖを構成する貯蔵容器２０に設けられた排水口２２Ｄの側方には、通路部２２５が設けられている。
【００７６】
通路部２２５は、地面上に設けられた床部２２５Ａと、該床部２２５Ａから立設された一対の側壁部２２５Ｂ，２２５Ｂと、該一対の側壁部２２５Ｂ，２２５Ｂの上部を連結する上壁部２２５Ｃとを有している。
【００７７】
これら床部２２５Ａ、一対の側壁部２２５Ｂ，２２５Ｂ及び上壁部２２５Ｃにより囲まれた空間部分が通路部２２５として構成されている。
また、一方の側壁部２２５Ｂには、その板厚方向に貫通孔（不図示）が設けられ、該貫通孔に貯蔵容器２０の側壁部２２に設けられた排水口２２Ｄが挿通されている。排水口２２Ｄの開口側は、通路部２２５内に位置するように配されている。
【００７８】
上記の構造物２Ｂでは、雨水が貯蔵容器２０に滴下して、該貯蔵容器２０内に浸入した雨水が例外的に廃棄物Ｚと接触し貯蔵容器２０から漏水した場合には、漏出水Ｒは、内壁２２Ｂを貫通して排水層２２Ｃに浸水し、排水口２２Ｄを経由して床部２２５Ａに形成された溝２０１Ｄに排水される。
【００７９】
第三測定工程では、溝２０１Ｄに排水された漏出水Ｒの放射性物質の濃度を、構造物２Ａにおいて測定部２４１で測定する。これにより、構造物２Ａにおいて漏出した放射性物質の濃度を把握することができる。
あるいは、放射性物質の漏出をより早く検知するために、各々の排水口２２Ｄにて個別に漏出水Ｒを採取して測定部２４１で測定することで、放射性物質の濃度を把握しても良い。
【００８０】
このような構造物２Ｂでは、廃棄物体２Ｖは内部に廃棄物Ｚを貯蔵して強固とされるため、構造物２Ｂの構造体を構成する躯体、土台又は基礎等として利用しながら、放射性物質が漏出した場合には漏出した放射性物質の濃度を把握することができる。よって、例えば放射性物質の濃度が所定の閾値以下に低減されていない場合でも、廃棄物体２Ｖから漏出する放射性物質を管理しながら、該廃棄物体２Ｖを構造体の一部として利用することができるため、利用価値を高めることができる。
【００８１】
（第三実施形態）
以下、本発明の第三実施形態に係る放射性廃棄物貯蔵方法について説明する。
この実施形態において、前述した実施形態で用いた部材と同一の部材には同一の符号を付して、その説明を省略する。
【００８２】
本実施形態における放射性廃棄物貯蔵方法は、廃棄物Ｚを粉砕し、混合して加工廃棄物Ｘを生成する加工工程を備えている。
【００８３】
図１０に示すように、重機Ｔ１，Ｔ２により生成された土壌Ｕ１や建築物Ｕ２の表面を削り、該表面に付着した放射性物質を廃棄物Ｚとして集約する。そして、粉砕機Ｔ３で廃棄物Ｚを粉砕して混合した加工廃棄物Ｘを生成する。これにより、複数の加工廃棄物Ｘは略同一の大きさで成分が略同一に均質化される。
なお、貯蔵容器２０内の放射性物質の濃度が所定の濃度以下となるように、適宜混合しても良い。
【００８４】
次に、貯蔵工程と、第一測定工程と、定期測定工程と、貯蔵容器２０から放射性物質が漏出した場合には第二測定工程と、判定工程とを実行する。
なお、第一実施形態における廃棄物Ｚの替わりに本実施形態における加工廃棄物Ｘと用いる点以外は、第一実施形態と同様であるため説明を省略する。
【００８５】
ここで、測定部３３により測定した廃棄物Ｚ中の放射性物質の濃度の一例を図１１のグラフに示す。当該グラフの横軸は長手方向の端部Ｐ（図４参照）からの距離を表し、縦軸は該距離に応じた箇所の放射性物質の濃度（放射能濃度）を表している。端部Ｐからの距離に関わらず、第一ラインＬ１、第二ラインＬ２及び第三ラインＬ３において、放射能濃度が略同一とされていることが分かる。
【００８６】
また、廃棄物Ｚ中の放射性物質の濃度の一例として、図１１に示した第一ラインＬ１の濃度変化を図１２のグラフに示す。当該グラフの横軸は長手方向の端部からの距離を表し、縦軸は該距離に応じた箇所の放射性物質の濃度（放射能濃度）を表している。貯蔵容器２０に貯蔵後、０年、３０年、６０年と順次放射能濃度が減少しているのが分かる。
【００８７】
このように構成された放射性廃棄物貯蔵方法では、加工工程により廃棄物Ｚを均質化することができるため、貯蔵容器２０内の加工廃棄物Ｘの放射性物質の濃度を均一に保つことができ安定的に加工廃棄物Ｘ（廃棄物Ｚ）を貯蔵することができる。また、適宜混合することで該放射性物質の濃度を調整することもできる。
よって、年月が経過した後の貯蔵容器２０内の加工廃棄物Ｘの放射性物質の濃度の推測もしやすいため、該加工廃棄物Ｘ（廃棄物Ｚ）を計画的に保管して廃棄物ユニットとしての利用性を高めることができる。
【００８８】
また、貯蔵容器２０内の加工廃棄物Ｘの放射性物質の濃度を均一であるため、一箇所の放射性物質の濃度を測定すれば貯蔵容器２０内全体の放射性物質の濃度を把握することができるため、加工廃棄物Ｘ（廃棄物Ｚ）の管理が容易となる。
【００８９】
（第四実施形態）
以下、本発明の第四実施形態に係る放射性廃棄物貯蔵方法について説明する。
この実施形態において、前述した実施形態で用いた部材と同一の部材には同一の符号を付して、その説明を省略する。
【００９０】
本実施形態における放射性廃棄物貯蔵方法は、加工廃棄物Ｘをセメント及び水と混合して混合物Ｙを生成する混合工程を備えている。これにより、加工廃棄物Ｘはセメント及び水と反応して固化された混合物Ｙとなる。
【００９１】
加工工程の後に、貯蔵工程と、第一測定工程と、定期測定工程と、貯蔵容器２０から放射性物質が漏出した場合には第二測定工程と、判定工程とを実行する。
なお、第一実施形態における廃棄物Ｚの替わりに本実施形態における混合物Ｙを用いる点以外は、第一実施形態と同様であるため説明を省略する。
【００９２】
このように構成された放射性廃棄物貯蔵方法では、加工廃棄物Ｘはセメント及び水によりセメント固化した混合物Ｙとされるため、該混合物Ｙが貯蔵容器２０から漏出する虞がないため、安全性を高めることができる。
【００９３】
また、加工廃棄物Ｘがセメント及び水によりセメント固化されて剛性が大きくなるため、外力等の影響を受けた場合でも破損する虞がなく安定的に貯蔵することができる。また、該構造物Ａとして再利用する際には、荷重を負担することができるため、躯体、土台又は基礎として確実に活用することができる。
【００９４】
なお、上述した実施の形態において示した組立手順、あるいは各構成部材の諸形状や組み合わせ等は一例であって、本発明の主旨から逸脱しない範囲において設計要求等に基づき種々変更可能である。
【００９５】
第一実施形態において、排水口２２Ｄは貯蔵容器２０の側壁部２２に設けられているが、底部２１又は蓋部２３に設けられていて良い。
底部２１に排水口が設けられている場合には、排水口は、一端が排水層２１Ｃに連通されるとともに、外底２１Ａを貫通して、他端が貯蔵容器２０の外方に向かって開口するように設けられる構成とされる。
また、蓋部２３に排水溝が設けられている場合には、排水口は、一端が排水層２３Ｃに連通されるとともに、外蓋２３Ａを貫通して、他端が貯蔵容器２０の外方に向かって開口するように設けられる構成とされる。
【００９６】
第二測定装置４０及び第三測定装置２５０にて測定した漏出量が所定値以上であれば、貯蔵容器２０を補修することや、新たな貯蔵容器に廃棄物Ｚを移し替える対応をとることができる。
【００９７】
また、排水層２１Ｃ，２２Ｃ，２３Ｃは、貯蔵容器２０の外面を構成する外壁２２Ａ等と内壁２２Ｂ等との間に設ける他に、貯蔵容器２０を構成する壁部と廃棄物Ｚとの間に設けられていてもよい。
【００９８】
また、第一測定工程において、廃棄物Ｚの表面における放射性物質の濃度を測定するだけではなく、廃棄物Ｚの表面から所望の深さにおける放射性物質の濃度をさらに測定してもよい。この場合には、貯蔵容器２０内における三次元的な濃度分布から平均値を算出することができるため、貯蔵容器２０内の放射性物質の濃度を一層正確に把握することができる。
【００９９】
また、上記の実施形態においては、測定部３３は外壁部１２の短手方向に向かって第一ラインＬ１、第二ラインＬ２及び第三ラインＬ３の三段階の移動が可能とされているが、三段階以上の移動が可能であってもよい。この場合には、放射性物質の濃度分布の更に詳細なデータを入手することができる。
【０１００】
また、貯蔵容器２０を屋外又は覆土中等に設けてよい。この場合でも第一測定装置３０を備えることにより、貯蔵容器２０内の廃棄物Ｚの放射性物質の濃度を把握することが可能となる。
【０１０１】
また、放射性廃棄物貯蔵施設１の耐久年数が貯蔵容器２０の耐久年数よりも低い場合には、放射性廃棄物貯蔵施設１の耐久年数が経過した後に、該放射性廃棄物貯蔵施設１から貯蔵容器２０を全て搬出し、新たに設けた放射性廃棄物貯蔵施設内に貯蔵容器２０を設けることとしてもよい。
【０１０２】
また、貯蔵容器２０の耐久年数が経過した後には、当該年数毎に新たな貯蔵容器２０に交換したり、または廃棄物Ｚが貯蔵された貯蔵容器２０をそのまま更に大きな容器内に貯蔵させる構成であってもよい。これにより、貯蔵容器２０や大きな容器から放射性物質が流出する虞がなく、安全性を確保することができる。
【０１０３】
また、第三実施形態の混合工程において、加工廃棄物Ｘの替わりに第一実施形態に係る廃棄物Ｚとセメント及び水を混合させてもよい。この場合には、加工工程を省略して固化した混合物Ｙを生成することができるため、作業性を向上させることができる。
【０１０４】
また、第一実施形態における廃棄物ユニットＶを構成する廃棄物Ｚとして、第二実施形態の加工廃棄物Ｘ又は第三実施形態の混合物Ｙを使用してもよい。
【０１０５】
また、廃棄物ユニットＶを用いた構造物の他の例としては、防潮堤、道路の路体等が挙げられる。
【０１０６】
また、廃棄物Ｚ中の放射性物質の濃度が減少した後には、貯蔵容器２０から該廃棄物Ｚを取り出し土砂等と混合して、土木工事における盛土として利用することも可能である。
【０１０７】
また、放射性物質を含む廃棄物Ｚ中のセシウム−１３７の濃度は、９０年後には１／８に減少し、１５０年後には１／３２に減少する。すなわち、廃棄物Ｚを貯蔵する貯蔵期間を任意に設定し、それに応じた初期段階の濃度に調整してから廃棄物Ｚを貯蔵すれば、所定の貯蔵期間経過後の放射性物質の濃度を調整することができる。
【符号の説明】
【０１０８】
１…放射性廃棄物貯蔵施設
２０…貯蔵容器
３０…第一測定装置
４０…第二測定装置
２５０…第三測定装置
Ａ…構造物
Ｘ…加工廃棄物
Ｙ…混合物
Ｚ…廃棄物
【図１】
2014109547.tif 000003
【図２】
2014109547.tif 000004
【図３】
2014109547.tif 000005
【図４】
2014109547.tif 000006
【図５】
2014109547.tif 000007
【図６】
2014109547.tif 000008
【図７】
2014109547.tif 000009
【図８】
2014109547.tif 000010
【図９】
2014109547.tif 000011
【図１０】
2014109547.tif 000012
【図１１】
2014109547.tif 000013
【図１２】
2014109547.tif 000014